(57)【要約】【課題】取付板を収納容器に廻動自在に取着して一体とした収納容器であって、使用場所に応じて、必要な収納物を収納し、取付板を容器側面に接合した状態、或いは、水平に廻動させた状態で、卓上、机上に載置して使用したり、取付板を廻動させ、収納容器の上面に対して、ほぼ水平位置まで廻動させた取付板、或いはほぼ垂直に垂下させた取付板を、壁と家具との間隙や、その他の間隙、或いはトイレのペーパーホルダーの差込口に嵌挿して使用するようにした収納容器を提供すること。【解決手段】容器本体と蓋体とからなる収納容器であって、容器本体の側周壁下方部に、取付板を廻動自在として取着したことを特徴とする。【選択図】        図１
2004352337.tif 000002
【特許請求の範囲】
【請求項１】
容器本体と蓋体とからなる収納容器であって、
容器本体の側周壁下方部に、取付板を廻動自在として取着したことを特徴とする取付板付収納容器。
【請求項２】
収納容器の下方部に、一対の蝶番用の軸受部を設け、
取付板の両端両側に枢着部を設け、
取付板を前記軸受部に枢着したことを特徴とする請求項１記載の取付板付収納容器。
【請求項３】
容器本体の下方部に、取付板の取付部を設け、薄肉のヒンジ部を介して取付板を、廻動自在に取着したことを特徴とする請求項１記載の取付板付収納容器。
【請求項４】
容器本体と底蓋とからなる収納容器であって、
底蓋の所定の端縁に、薄肉のヒンジ部を介して取付板を廻動自在に取着したことを特徴とする取付板付収納容器。
【請求項５】
収納容器の側面に、取付板を係止する係止部を設けたことを特徴とする請求項１〜４記載の取付板付収納容器。
【請求項６】
取付板を、トイレットペーパーホルダーの差込口に嵌挿するようにしたことを特徴とする請求項１〜５記載の取付板付収納容器。
【発明の詳細な説明】
【０００１】
【発明の属する技術分野】
本発明は、取付板を取着した収納容器、とくに容器の側周壁に取付板を廻動自在に取着し、所望の場所で使用可能とした収納容器に関する。
【０００２】
【従来の技術】
頂壁に開閉蓋を設けた容器本体と、底蓋とからなるティッシュペーパー等の収納容器において、容器の底蓋を挟持するように取付ホルダーを着脱自在として装着した収納容器は、従来より知られている（例えば、特許文献１参照。）。
【０００３】
【特許文献１】
特開２００１−１４５５８３号公報
【０００４】
上記従来の収納容器は、取付ホルダーを取付けない状態で、台所の台上に置いたり、或いは居間の卓上、机上に置いて使用したりするようにし、また、収納容器に取付ホルダーを装着し、取付ホルダーの取付板を、ビス、または両面テープで壁面に固定したり、或いはトイレのペーパーホルダーの差込口に差込んで使用していた。
【０００５】
また、蓋体と容器本体とからなる収納容器で、容器本体と底面に取付板を保持させるようにし、そのままの状態で、台所や居間の卓上等において使用し、また、必要に応じてトイレ用品を収納し、取付板を底面から取外して端部を容器本体の側壁下端部に設けた取付口に装着し、取付板をトイレのペーパーホルダーの差込口に差込んで使用するようにした収納容器も市販されている。
【０００６】
【発明が解決しようとする課題】
しかしながら、上記各収納容器は、いずれも容器本体と取付ホルダー、或いは取付板とは別体となっており、取付板を使用するにあたっては、前記特許文献記載の収納容器では、まず、取付ホルダーを収納容器に装着した後に、壁面に固定したり、取付板をトイレのペーパーホルダーに装着するようにしているので、取付けに手間がかかった。
また、上記市販の収納容器は、取付板を収納容器の底面から取外して、端部を容器本体の取付口に装着してから使用場所に取り付けるので、特許文献記載のものと同様に取付けに手間がかかった。
【０００７】
また、上記特許文献記載のものでは、取付ホルダーを取外した状態で使用した場合に、取付ホルダーの保管場所を忘れたり、或いは他の物品とまぎれたりして、取付ホルダーを紛失するおそれもあった。
【０００８】
本発明は、上記問題を解決することを課題とし、取付板を収納容器に廻動自在に取着して一体とした収納容器であって、使用場所に応じて、必要な収納物を収納し、取付板を容器側面に接合した状態、或いは、水平に廻動させた状態で、卓上、机上に載置して使用したり、取付板を廻動させ、収納容器の上面に対して、ほぼ水平位置まで廻動させた取付板、或いはほぼ垂直に垂下させた取付板を、壁と家具との間隙や、その他の間隙、或いはトイレのペーパーホルダーの差込口に嵌挿して使用するようにした収納容器を提供することを目的とする。
【０００９】
【課題を解決するための手段】
本発明は、上記の課題を解決するため、取付板付収納容器として、容器本体と蓋体とからなる収納容器であって、容器本体の側周壁下方部に、取付板を廻動自在として取着したことを特徴とする構成を採用する。
【００１０】
取付板取着の実施態様として、容器の下方部に、一対の蝶番用の軸受部を設け、取付板の両端両側に枢着部を設け、取付板を前記軸受部に枢着したことを特徴とする構成、或いは、容器本体の下方部に、取付板の取付部を設け、薄肉のヒンジ部を介して取付板を、廻動自在に取着したことを特徴とする構成を採用する。
【００１１】
取付板付収納容器の別実施態様として、容器本体と底蓋とからなる収納容器であって、底蓋の所定の端縁に、薄肉のヒンジ部を介して取付板を廻動自在に取着したことを特徴とする構成を採用する。
【００１２】
取付板の妄動を阻止するために、収納容器の側面に、取付板を係止する係止部を設けたことを特徴とする構成を採用する。
【００１３】
取付板付収納容器の使用態様として、取付板を、トイレットペーパーホルダーの差込口に嵌挿するようにしたことを特徴とする構成を採用する。
【００１４】
また、収納容器の一実施態様として、収納容器の構造を、上蓋と容器本体、或いは上部容器体と下部容器体とからなる収納容器として、容器本体、或いは下部容器体の下方部に取付板を取着した収納容器も採用できる。
【００１５】
【発明の実施の形態】
次に、本発明の第１実施形態について、図面を参照して説明する。
図１〜２において、Ａは、ティッシュ、化粧用コットン類、使い捨て雑巾用布片等、使用場所の用途に応じた収納物を収納した収納容器である。
【００１６】
図１に示すように、収納容器Ａは、容器本体Ａ１と底蓋Ａ２とからなり、容器本体Ａ１は、頂壁１と側周壁２とからなっている。
頂壁１には、収納物の取出口３が設けられ、該取出口３を覆う開閉蓋４が蝶番５を介して取着されている。
蝶番５の反対側には、開閉蓋４を係止する操作板６が設けられている。
【００１７】
開閉蓋４は、弾性体により、蝶番５を軸として開蓋方向に付勢されており、操作板６は、開閉蓋４を閉蓋状態に係止するとともに、押圧することによって開閉蓋４の係止を解き、開閉蓋４が弾性体の付勢により開蓋されるようになっている。
【００１８】
側周壁２の下方部は、厚肉の段部７となっており、段部７の下端周縁には、フランジ８が突設されている。
図２に示すように、側周壁２のフランジ８の下方の下端部は、膨出突条９を設けた係止部１０となっている。
側周壁２の開閉蓋４の蝶番５側の側面２ａ側のフランジ８は、中央部が切欠部１１となっており、その両側に、蝶番用の軸受部１２が突設され、対向する端面１３には、軸受凹部１４が穿設されている。
【００１９】
取付板１５の端縁１６の両側には、蝶番用の取付片１７が設けられ、その外側端面には、枢着ピン１８が突設されており、取付板１５は、取付片１７を介して二つの軸受部１２の間に枢着されている。
また、逆に取付片１７に軸受孔を設け、軸受部１２に枢着ピンを設けてもよい。
【００２０】
取付板１５を取着した側面２ａの段部７は、山形段部７ａとし、その上端縁には、取付板１５を係止する係止突部１９が設けられている。
【００２１】
底蓋Ａ２は、底板２０とその周縁に連設された係合部２１とからなっている。
係合部２１は、内壁２２と外壁２３を具えており、外壁２３には、内方に膨出する係止突条２４が設けられている。
【００２２】
外壁２３の外周には、取付板１５に対応する側に、切欠部２５が設けられ、取付板１５の廻動時に、取付板１５の廻動位置を規制するようにしている。
また、反対側の外壁２３外周にも、同じく切欠部が設けられ、底蓋Ａ２を逆方向に閉蓋しても支障がないようにしている。
【００２３】
次に、上記第１実施形態の収納容器Ａの使用態様と作用効果について説明する。
収納容器Ａには、使用場所、用途に応じて必要な収納物が収納されており、居間の卓上、または床上、或いは台所等の台上において使用される場合には、普通のティッシュや、手指の清拭用のウェットティッシュ、或いは除菌、清拭用のウェットティッシュ、或いは化粧用コットン、使い捨ての雑巾用布類等が収納される。
【００２４】
収納物の収納容器Ａへの収納にあたっては、容器本体Ａ１の底蓋Ａ２を開蓋し、収納物を収納して閉蓋する。
収納物を使い切ったときには、底蓋Ａ２を開蓋して詰替え用の収納物を収納する。
【００２５】
収納容器Ａの使用時には、取付板１５を上方に廻動して側周壁の側面２ａに設けた係止突部１９に係止させると、取付板１５は、側面２ａに接合して妄動しないので、操作板６を押さえて、開閉蓋４を開いて収納物を取出すことができる。
また、取付板１５をほぼ水平にして、床上や卓上などに置いて使用するときには、膝や手のひら、肘などで取付板を押さえ、他方の手で操作板を押さえて開閉蓋４を開き、収納物を片手で容易に取出すことができる。
【００２６】
次に、トイレのペーパーホルダーに取付けて使用する場合について説明する。
ペーパーホルダーＢは、図３に示すように、壁面等に取付ける固定板２６と一対の側板２７、固定板２６に近接して側板２７に枢着されたペーパー押え２８とからなっており、固定板２６とペーパー押え２８との間には間隙が設けられ、差込口２９となっている。
側板２７には、ペーパー保持具が配設され、トイレットペーパー３０が保持されるようになっている。
【００２７】
収納容器Ａには、除菌清拭用のウェットティッシュ、生理用ナプキン等、トイレで使用する収納物が入れられる。
使用時には、図４に示すように、取付板１５を底蓋Ａ２から垂下するように、取付板１５の表面が底蓋Ａ２の外壁２３の切欠部２５に接合するまで廻動させ、図３に示すように、ペーパーホルダーＢの固定板２６と、ペーパー押え２８との間の差込口２９に差込むと、収納容器Ａを、トイレットペーパー３０の上方に保持することができる。
ウェットティッシュを取出すときは、操作板６を押さえると、開閉蓋４が開いてウェットティッシュを取出すことができる。
【００２８】
トイレットペーパーを取替えるときには、ペーパー押え２８は上方に廻動させられ、収納容器Ａもペーパー押え２８の廻動に連れて上方に持ち上げられる。
取付板１５は一定の長さを有しており、下端縁は、差込口２９より上には上昇しないので、トイレットペーパーの取替えには、何ら支障を起こさない。
【００２９】
また、取付板１５を底蓋Ａ２面と平行になるように廻動させ、そのまま差込口２９に嵌挿させることによって、収納容器Ａを、頂壁１をトイレの壁面に平行するようペーパーホルダーＢに取付けることができる。
その際、軸受部１２と取付片１７との間に位置決め用の係止機構を設けると、取付板１５の廻動位置が規制され、より効果的である。
【００３０】
また、収納物が居間でも使用できる物で共通する物であれば、使用場所をトイレに変えて使うことができる。
【００３１】
次に、第２実施形態について説明する。
本実施形態は、操作板を薄肉のヒンジを介して容器本体の下端部分に取着したものである。
図５，６において、Ａａは収納容器、Ａ１ａは容器本体、Ａ２ａは底蓋である。
【００３２】
容器本体Ａ１ａは、第１実施形態と同様に、上面に開閉蓋を開閉自在として取着した頂壁４０と側周壁４１とからなっている。
側周壁４１の下方部は厚肉の段部４２となっており、段部４２の下端周縁には、フランジ４３が突設されている。
フランジ４３の下方の側周壁４１の下端部は、膨出突条４４を設けた係止部４５となっている。
【００３３】
側周壁４１の開閉蓋の蝶番側の側面４１ａのフランジ４３には、切欠部４６が設けられ、該切欠部４６には、フランジ４３下端に沿って延び、所定の高さと巾を有する取付部４７が設けられている。
取付部４７の上端縁は、薄肉のヒンジ部４８となっており、該ヒンジ部４８を介して取付板４９が廻動自在に取着されている。
切欠部４６の両側端には、取付板４９の下方への廻動時に、その端縁に係合して廻動位置を規制する一対の係止片５０が突設されている。
【００３４】
また、取付板４９を取着した側面４１ａの段部４２を山形段部４２ａとし、その上端縁に取付板４９を係止する係止突部５１が設けられている。
【００３５】
底蓋Ａ２ａの構成は、第１実施形態の底蓋Ａ２とほぼ同一であるので、説明を省略する。
【００３６】
次に、本実施形態の作用効果について説明する。
本実施形態の収納容器Ａａは、前第１実施形態と同様に使用されるが、収納容器Ａａを単独に使用する場合には、取付板４９を成形時の位置から側面４１ａに押付け、係止突部５１によって取付板４９を保持させ、妄動を阻止することができる。
【００３７】
収納容器ＡａのペーパーホルダーＢへの取付けて使用する場合には、取付板４９を反転した場合に、図７に示すように、係止片５０により廻動位置を規制できるので、底蓋Ａ２ａに対してほぼ直角に垂下させることができ、取付板４９を差込んだときに、収納容器Ａａを正確に位置決めすることができる。
また、取付板４９を底蓋Ａ２ａに対してほぼ水平位置まで廻動させた状態で取付板４９を差込んだ場合も、収納容器Ａａの頂壁４０を壁面と平行になるようにして取付けることができる。
【００３８】
収納容器Ａａの使用にあたっては、第１実施形態とほぼ同様の作用効果を得ることができる。
【００３９】
次に、第３実施形態について説明する。
本実施形態は、取付板を蓋板に取着したものである。
図８，９において、Ａｂは収納容器で、容器本体Ａ１ｂと底蓋Ａ２ｂとからなっている。
【００４０】
容器本体Ａ１ｂは、前記各実施形態と同様に、上面に開閉蓋を開閉自在として取着した頂壁６０と側周壁６１とからなっている。
側周壁６１の下方部には段部６２が設けられ、段部６２の下端にはフランジ６３が設けられ、その下方は、膨出突条６４を設けた蓋板Ａ２ｂのための係止部６５となっている。
【００４１】
図９に示すように、底蓋Ａ２ｂは、底板６６とその周縁に連設された係合部６７とからなっている。
係合部６７は、内壁６８と外壁６９を具えており、外壁６９には、内方に膨出する係止突条７０が設けられている。
開閉蓋の蝶番側に対応する外壁６９の側面６９ａには、薄肉のヒンジ部７１を設けた突出板７２が突設され、ヒンジ部７１を介して  取付板７３が取着されている。
【００４２】
また、取付板７３を取着した側面６９ａの段部６２を山形段部６２ａとし、その上端縁に取付板７３を係止する係止突部７４が設けられている。
【００４３】
次に、本実施形態の作用効果について説明する。
本実施形態の収納容器Ａｂは、前記各実施形態と同様に使用される。
【００４４】
収納容器Ａｂの使用にあたっては、前記各実施形態とほぼ同様の作用効果を得ることができる。
【００４５】
収納容器ＡｂをペーパーホルダーＢへ取付けて使用する場合には、図１０に示すように、取付板７３は、底蓋Ａ２ｂの底板６６と平行な位置ａ、および底板６６に垂直な位置ｂのいずれでも選択でき、収納容器Ａｂを、トイレの壁面に対して頂壁６０が平行、または垂直として取着することができる。
取付板７３を位置ａとした場合には、取付板７３の復元力によって、取付板７３を底蓋Ａ２ｂに平行に延びる位置に正確に位置付けることができる。
【００４６】
次に、第４実施形態について説明する。
本実施形態は、収納容器の形状を変更したもので、図１１に示すように、収納容器Ａｃは、上蓋８０と容器本体８１とからなり、上蓋８０は、頂壁８２と側周壁８３とを具えている。
【００４７】
頂壁８２には、前記各実施形態と同様に、ティッシュの取出口と、取出口を覆う開閉板と、押圧により開閉板を開蓋する操作板が設けられている。
側周壁８３の下端には、内方に膨出する係合突条８４を設けた係合段部８５が設けられている。
【００４８】
容器本体８１は、上蓋８０の側周壁８３と同形の側周壁８６と底壁８７とからなり、側周壁８６の上端部には、上端に、外方に膨出し、上蓋８０下端の係合突条８４に係合する係止突条８８を設けた係止段部８９が設けられている。
【００４９】
側周壁８６の下端部には、第１実施形態と同様の一対の蝶番用軸受部９０が突設され、対向する端面に軸受凹部９１が設けられている。
取付板９２の一端縁には、軸受凹部９１に係合する枢着ピン９３を突設した取付片９４が設けられており、取付板９２は、取付片９４を介して二つの軸受部９０の間に枢着されている。
前記上蓋８０の係合段部８５の外周、または側周壁８３の外周には、取付板９２の上方への廻動時に、取付板９２両端縁に係合する係止突条９５が設けられている。
【００５０】
本実施形態の作用効果は、ティッシュの収納にあたって、上蓋８０を開いてティッシュを容器本体８１内に載置し、上蓋８０を閉じることによってティッシュを収納するようにしている点で、前記各実施形態と相違しているが、収納容器の使用、トイレのペーパーホルダーの取付等は前記各実施形態と同一の作用効果が得られる。
【００５１】
上記第４実施形態においては、取付板９２を取付片９４を介して軸受部９０に枢着するようにしたが、第２、第３実施形態と同様に、取付板９２を薄肉のヒンジ部を介して、容器本体８１の下方部に取着するようにしてもよい。
また、上蓋８０と容器本体８１との高さをほぼ等しくして、上部容器体と下部容器体とし、下部容器体の下方部に取付板を取着するようにしたものであってもよい。
さらに、上蓋８０と容器本体８１、或いは上部容器体とを蝶番によって取着し、上蓋８０、或いは上部容器体を廻動自在に開閉するようにしてもよい。
【００５２】
また、取付板を壁と家具の間隙などに嵌挿して使用する場合においても、収納容器の取出しなどを安定して行うことができる。
【００５３】
【発明の効果】
本発明は、上記のように構成されているから、次の効果を奏する。
収納容器に、取付板を廻動自在に取着したから、収納容器を単独に使用する場合には、取付板を上方に廻動させて使用することができ、また、該取付板をほぼ水平位置まで廻動させ、膝や手などで取付板を押さえることにより、片手で容易に収納物を取出すこともできる。
【００５４】
ペーパーホルダーに取付けて使用する場合には、取付板を下方に廻動させて、ペーパーホルダーの差込口に嵌挿するだけで、収納容器を簡単にペーパーホルダーに取付けることができ、使用が簡単となった。
また、居間や台所で使用する場合にも、取付板を壁と家具との間隙などに嵌挿することにより、収納容器を安定して使用することができるようになった。
【００５５】
また、取付板は、常時収納容器に取着されているので、紛失することがなくなった。
【図面の簡単な説明】
【図１】本発明第１実施形態収納容器の斜視図である。
【図２】（ａ）は収納容器の一部断面立面図、（ｂ）（ｃ）は要部の拡大説明図で、（ｂ）は取付板の取着前、（ｃ）は取付板の取着時の断面立面図である。
【図３】収納容器とトイレットペーパーホルダーの関係を示す分解斜視図である。
【図４】収納容器の取付時の説明図で、（ａ）は斜視図、（ｂ）は要部の拡大説明図である。
【図５】第２実施形態の収納容器の斜視図である。
【図６】（ａ）は収納容器の一部断面立面図、（ｂ）は要部の拡大説明図である。
【図７】収納容器の取付時の説明図で、（ａ）は斜視図、（ｂ）は要部の拡大説明図である。
【図８】第３実施形態の収納容器の斜視図である。
【図９】収納容器の一部断面立面図である。
【図１０】収納容器の取付時の説明図である。
【図１１】第４実施形態の収納容器の一部断面立面図である。
【符号の説明】
Ａ、Ａａ、Ａｂ、Ａｃ  収納容器
Ａ１、Ａ１ａ、Ａ１ｂ、８１  容器本体
Ａ２、Ａ２ａ、Ａ２ｂ  底蓋
Ｂ                    ペーパーホルダー
１、４０、６０、８２  頂壁
２、４１、６１、８３  側周壁
２ａ、４１ａ          側面
４                    開閉蓋
７、４２              段部
７ａ、４２ａ、６２ａ  山形段部
８、４３、６３        フランジ
１１                  切欠部
１２、９０            軸受部
１４、９１            軸受凹部
１５、４９、７３、９２  取付板
１７、９４            取付片
１８、９３            枢着ピン
１９、５１、７４      係止突部
２０、６６            底板
２１、６７            係合部
２３、６９            外壁
２５                  切欠部
２６                  固定板
２７                  側板
２８                  ペーパー押え
２９                  差込口
３０                  トイレットペーパー
４７                  取付部
４８、７１            ヒンジ部
５０                  係止片
７２                  突出部
８０                  上蓋
８５                  係合段部
８６                  側周壁
８７                  底壁
【図１】
2004352337.tif 000003
【図２】
2004352337.tif 000004
【図３】
2004352337.tif 000005
【図４】
2004352337.tif 000006
【図５】
2004352337.tif 000007
【図６】
2004352337.tif 000008
【図７】
2004352337.tif 000009
【図８】
2004352337.tif 000010
【図９】
2004352337.tif 000011
【図１０】
2004352337.tif 000012
【図１１】
2004352337.tif 000013